(57)【要約】【課題】  高いノイズ耐性を有して安価に製作すること。【解決手段】  金属製の箱型の上ケース１の内面に、長方形の枠型のシールド部１２を一体に設け、このシールド部１２に放射線検出素子５及び増幅回路６を収容する。信号処理回路基板３の上面に、当該上面に固定された放射線検出素子５及び増幅回路６の周囲に長方形の管状にグランドパターン１５を導電性の配線パターンにて形成する。このグランドパターン１５は信号処理回路基板３のアースに接続する。シールド部１２を、金属などの導電性材料によって、長方形の枠の周回縁がグランドパターン１５と同形状として形成する。このようなシールド部１２の周回縁に、グランドパターン１５を電気的に接続して信号処理回路基板３を固定する。【選択図】      図１
2007003470.tif 000002
【特許請求の範囲】
【請求項１】
導電性のセンサケースの内部に、放射線を検出する放射線検出素子と、この素子の検出信号を増幅する増幅回路と、この増幅回路での増幅信号に基づき放射線量を演算して検知する放射線量演算回路と、これら放射線検出素子、増幅回路及び放射線量演算回路が実装された回路基板とを収容して成る放射線測定装置において、
前記回路基板に、前記放射検出素子と前記増幅回路との実装領域の外側にアースに接続された導電性のグランドパターンを周回して形成し、
前記センサケースの内面に、前記グランドパターンと同形状の周回縁を有する導電性で枠型のシールド部を一体に形成し、
前記シールド部の内部に前記放射線検出素子及び前記増幅回路を収容し、且つ前記周回縁に前記グランドパターンを電気的に接続して当該シールド部に前記回路基板を固定した
ことを特徴とする放射線測定装置。
【請求項２】
前記シールド部の周回縁及び前記グランドパターンの上の何れか一方に、導電性且つ柔軟性を有するガスケットを貼り付けた
ことを特徴とする請求項１に記載の放射線測定装置。
【請求項３】
前記センサケースは金属製である
ことを特徴とする請求項１又は２に記載の放射線測定装置。
【請求項４】
前記センサケースは導電塗装されたプラスチック製である
ことを特徴とする請求項１又は２に記載の放射線測定装置。
【発明の詳細な説明】
【技術分野】
【０００１】
本発明は、原子力発電所等の放射線管理区域内等において放射線量を計測する放射線測定装置に関する。
【背景技術】
【０００２】
従来の放射線測定装置は、図５の外形斜視図に示すように、金属製で箱型の上ケース１及び下ケース２から成るセンサケース１１の内部に信号処理回路基板３が収納されて構成されている。
信号処理回路基板３は、図６の上面図及び図７の断面図に示すように、基板上面に、放射線を検出する放射線検出素子５と、この放射線検出素子５からの検出信号を増幅する増幅回路６と、この増幅回路６からの増幅信号に基づき放射線量を演算することによって検知する放射線演算処理回路７と、外部電磁波による誤動作除去を目的に配置されたシールドケース４とが配置されて構成されている。
【０００３】
通常、このような放射線測定装置１００は、放射線検出素子５からの検出信号を増幅回路６によって増幅し、この増幅信号に基づいて、ＣＰＵなどから構成されている放射線演算処理回路７で放射線量を演算することにより検知している。
一般的に、放射線を検出したときに放射線検出素子５から出力される検出信号は、非常に微小な信号であるため、増幅回路６の増幅率は非常に大きく、且つ増幅回路６は非常にインピーダンスの高い回路構成となっている。
【０００４】
このような高インピーダンス回路は外来ノイズの影響を受けやすく、特に、外部からの電磁波ノイズに対して十分な対策が必要とされる。このノイズ対策として、一般的に図８に斜視図を示すようなシールドケース４が用いられる。シールドケース４は、金属の板材等で製作されたものであり、信号処理回路基板３の上に固定される。例えば、図示のように信号処理回路基板３に形成された複数の貫通穴３ａに、シールドケース４の複数の凸部４ａが嵌め込まれて固定される。
【０００５】
シールドケース４の内部には、放射線検出素子５と増幅回路６が収納され、このようなシールド構造により、外来ノイズを遮断して誤動作なく放射線量を検知している。
この種の従来の放射線測定装置として、例えば特許文献１に記載のものがある。
【特許文献１】特開平１１−６４５２３号公報
【発明の開示】
【発明が解決しようとする課題】
【０００６】
しかし、従来の放射線測定装置においては、外来ノイズの影響を除去するためのシールドケース４に隙間がある場合、電磁波が漏洩するので、その端部にロー付け加工又は金属箔テープを貼るなどの加工が必要とされる。この加工は手間が掛かるので高コストとなり、その分、放射線測定装置が高価格となる問題がある。
本発明は、このような課題に鑑みてなされたものであり、高いノイズ耐性を有して安価に製作することができる放射線測定装置を提供することを目的としている。
【課題を解決するための手段】
【０００７】
上記目的を達成するために、本発明の請求項１による放射線測定装置は、導電性のセンサケースの内部に、放射線を検出する放射線検出素子と、この素子の検出信号を増幅する増幅回路と、この増幅回路での増幅信号に基づき放射線量を演算して検知する放射線量演算回路と、これら放射線検出素子、増幅回路及び放射線量演算回路が実装された回路基板とを収容して成る放射線測定装置において、前記回路基板に、前記放射検出素子と前記増幅回路との実装領域の外側にアースに接続された導電性のグランドパターンを周回して形成し、前記センサケースの内面に、前記グランドパターンと同形状の周回縁を有する導電性で枠型のシールド部を一体に形成し、前記シールド部の内部に前記放射線検出素子及び前記増幅回路を収容し、且つ前記周回縁に前記グランドパターンを電気的に接続して当該シールド部に前記回路基板を固定したことを特徴とする。
【０００８】
この構成によれば、シールド部が、放射線検出素子及び増幅回路を収容して且つグランドパターンを電気的に接続して回路基板に固定されているので、シールド部に伝搬する外来電磁波をグランドパターンを介してアースに落とすことができ、これによって高いノイズ耐性を実現することができる。しかも、外来電磁波をアースに落とす構造なので、シールド部とグランドパターンとに隙間があっても電磁波を除去することが可能となる。これによって、従来のシールドケースのような高コストな隙間の補修加工が不要となる。また、シールド部は金型によってセンサケースと一体型に形成することができるので、従来の別材料であるシールドケースを用いるよりも安価となる。これらの理由から放射線測定装置を安価に製作することができる。
【０００９】
また、本発明の請求項２による放射線測定装置は、請求項１において、前記シールド部の周回縁及び前記グランドパターンの上の何れか一方に、導電性且つ柔軟性を有するガスケットを貼り付けたことを特徴とする。
この構成によれば、シールド部とグランドパターンとの間に隙間が生じなくなるので、より高いノイズ耐性を実現することができる。
【００１０】
また、本発明の請求項３による放射線測定装置は、請求項１又は２において、前記センサケースは金属製であることを特徴とする。
この構成によれば、放射線測定装置を丈夫に形成することができる。
また、本発明の請求項４による放射線測定装置は、請求項１又は２において、前記センサケースは導電塗装されたプラスチック製であることを特徴とする。
この構成によれば、センサケースがプラスチック製なので材料費が安価となり、更に、シールド部を含むセンサケースを製作する場合に、低コストの樹脂製の金型で作成可能となるので、より低コスト化を図ることが可能となる。
【発明の効果】
【００１１】
以上説明したように本発明によれば、放射線測定装置を高いノイズ耐性を有して安価に製作することができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を適時省略する。
図１は、本発明の実施の形態に係る放射線測定装置の構成を示す斜視図である。
図１に示す放射線測定装置１０が、図５に示した従来の放射線測定装置１００と異なる点は、金属製の箱型の上ケース１の内面に、従来のシールドケース４に相当する長方形の枠型のシールド部１２を一体に設け、このシールド部１２に放射線検出素子５及び増幅回路６を収容する構成とした。
【００１３】
更に詳細に図２及び図３を参照して説明する。図２は、シールド部１２及び信号処理回路基板３を上ケース１側から透視して見た図である。図３は放射線測定装置１０の特徴部の断面図である。
信号処理回路基板３の上面には、当該上面に固定された放射線検出素子５及び増幅回路６の周囲に長方形の管状にグランドパターン１５が、銅やアルミニュウム材料等の導電性の配線パターンにて形成されている。このグランドパターン１５は信号処理回路基板３のアースに接続されている。
【００１４】
シールド部１２は、金属などの導電性材料によって形成され、更に、長方形の枠の周回縁がグランドパターン１５と同形状に形成されている。
このようなシールド部１２に信号処理回路基板３を固定する場合は、シールド部１２の周回縁に、グランドパターン１５を電気的に接続して信号処理回路基板３を固定する。
以上のような本実施の形態の放射線測定装置１０によれば、上記のように固定することによって、シールド部１２に伝搬する外来電磁波をグランドパターン１５を介してアースに落とすことができるので、高いノイズ耐性を実現することができる。
【００１５】
しかも、上記のように外来電磁波をアースに落とす構造なので、シールド部１２とグランドパターン１５とに隙間があっても電磁波を除去することが可能となる。これによって、従来のシールドケース４のような高コストな隙間の補修加工が不要となる。また、シールド部１２は金型によって上ケース１と一体型に形成することができるので、従来の別材料であるシールドケース４を用いるよりも安価となる。これらの理由から放射線測定装置１０を安価に製作することができる。
【００１６】
また、シールド部１２は、金属製に限らず、導電塗装されたプラスチック製としても良い。この場合、プラスチック製なので材料費が安価となり、更に、シールド部１２を含む上ケース１を製作する場合に、低コストの樹脂製の金型で作成可能となるので、より低コスト化を図ることが可能となる。
この他、図４に示すように、シールド部１２の周回縁又はグランドパターン１５の上にガスケット１３を貼り付けてもよい。ガスケット１３は、スポンジに金属材料を組み合わせたものや、導電性ゴムなどの柔軟性のある導電材料を用いる。
このようにガスケット１３を用いることによってシールド部１２とグランドパターン１５との間に隙間が生じなくなるので、より高いノイズ耐性を実現することができる。
【図面の簡単な説明】
【００１７】
【図１】本発明の実施の形態に係る放射線測定装置の構成を示す斜視図である。
【図２】上記実施の形態の放射線測定装置におけるシールド部及び信号処理回路基板を上ケース側から透視して見た図である。
【図３】上記実施の形態の放射線測定装置の特徴部分の断面図である。
【図４】上記実施の形態の変形例による放射線測定装置の特徴部分の断面図である。
【図５】従来の放射線測定装置の構成を示す斜視図である。
【図６】従来の放射線測定装置における信号処理回路基板の構成を示す平面図である。
【図７】従来の放射線測定装置における信号処理回路基板の構成を示す断面図である。
【図８】従来の放射線測定装置における信号処理回路基板へのシールドケースの組み込みの説明図である。
【符号の説明】
【００１８】
１  上ケース
２  下ケース
３  信号処理回路基板
３ａ  貫通穴
４  シールドケース
４ａ  凸部
５  放射線検出素子
６  増幅回路
７  放射線演算処理回路
１０  放射線測定装置
１１  センサケース
１２  シールド部
１３  ガスケット
１５  グランドパターン
【図１】
2007003470.tif 000003
【図２】
2007003470.tif 000004
【図３】
2007003470.tif 000005
【図４】
2007003470.tif 000006
【図５】
2007003470.tif 000007
【図６】
2007003470.tif 000008
【図７】
2007003470.tif 000009
【図８】
2007003470.tif 000010